(57)【要約】【課題】設定されているモードに対して適切な機能を間違えることなく選択させて実行することのできる多機能処理装置を提供する。【解決手段】複数の機能から所望の機能を選択して処理する多機能処理装置において、異なる機能が割り当てられ、所望の機能を選択するために操作される複数の操作ボタン３３と、操作された操作ボタン３３の機能が、設定されているモードに対して適切であるか否かを判定する制御手段１３と、制御手段１３により不適切と判定されたとき、操作された操作ボタン３３に割り当てられた機能の説明情報を出力する出力手段２７と、を備える。そして、制御手段１３により適切と判定されたとき、操作された操作ボタン３３に割り当てられた機能を実行し、制御手段１３により不適切と判定され、且つ、再度同じ操作ボタン３３が操作されたとき、再度操作された操作ボタン３３に割り当てられた機能を実行する。【選択図】図１
2011164054.tif 000002
【特許請求の範囲】
【請求項１】
複数の機能から所望の機能を選択して処理する多機能処理装置において、
異なる機能が割り当てられ、所望の機能を選択するために操作される複数の操作手段と、
操作された前記操作手段の機能が、設定されているモードに対して適切であるか否かを判定する判定手段と、
前記判定手段により不適切と判定されたとき、操作された前記操作手段に割り当てられた機能の説明情報を出力する出力手段と、
を備えることを特徴とする多機能処理装置。
【請求項２】
前記判定手段により適切と判定されたとき、操作された前記操作手段に割り当てられた機能を実行する機能実行手段を、更に備えることを特徴とする請求項１記載の多機能処理装置。
【請求項３】
前記機能実行手段は、前記判定手段により不適切と判定され、且つ、再度同じ前記操作手段が操作されたとき、再度操作された前記操作手段に割り当てられた機能を実行することを特徴とする請求項２記載の多機能処理装置。
【請求項４】
前記操作手段が操作されてから同じ前記操作手段が再度操作されるまでの時間を計測する計時手段を備え、前記機能実行手段は、前記時間が所定時間以内のとき、再度操作された前記操作手段に割り当てられた機能を実行することを特徴とする請求項２又は３記載の多機能処理装置。
【請求項５】
前記出力手段は、前記所定時間が経過した後、同じ前記操作手段が再度操作されたとき、再度操作された前記操作手段に割り当てられた機能の確認情報を出力することを特徴とする請求項４記載の多機能処理装置。
【請求項６】
前記操作手段は、前記機能実行手段を選択するための機能選択信号を出力するリモートコントローラを構成することを特徴とする請求項１〜５のいずれか１項に記載の多機能処理装置。
【発明の詳細な説明】
【技術分野】
【０００１】
本発明は、多機能処理装置に関し、特に、操作手段の操作に従い、複数の機能から所望の機能を選択して処理する多機能処理装置に関するものである。
【背景技術】
【０００２】
例えば、車両に搭載されて経路案内を行うカーナビゲーション装置が広範に利用されている。カーナビゲーション装置では、ＧＰＳ衛星等から取得した情報に従って車両の現在位置を算出し、現在位置から利用者が入力した目的地までの案内経路を地図情報に従って探索し、探索された案内経路をディスプレイに表示させることができる。この場合、利用者は、表示された案内経路に従い、目的地まで円滑に移動することができる。
【０００３】
ところで、昨今のカーナビゲーション装置には、案内経路を求めて表示する機能だけでなく、ＤＶＤ等に記憶された動画を音声とともに再生する機能、受信したテレビ番組を表示する機能、ＣＤやハードディスク等に記憶された楽曲を再生する機能、離れた場所にいる人と会話をする電話機能等、多数の機能が搭載されている。これらの機能は、カーナビゲーション装置の操作ボタン、あるいは、リモートコントローラの操作ボタンを操作することで選択される。同様に、楽曲のボリュームや音質等も操作ボタンの操作によって調整することができる。なお、カーナビゲーション装置に限らず、携帯電話やＰＤＡ（Personal Digital Assistants）等の携帯端末においても、多機能化が進んでいる。
【０００４】
これらの多機能処理装置には、異なる機能が割り当てられ、所望の機能を選択するために操作される複数の操作ボタンが設けられている。この場合、誤操作により、現在起動されている機能に対して、適切でない操作ボタンが操作される可能性がある。例えば、カーナビゲーション装置を用いて経路探索を行っている場合において、目的地を入力しなければならないにも関わらず、楽曲を再生する操作ボタンが操作される、といった誤操作が行われてしまう可能性がある。
【０００５】
そこで、例えば、特許文献１（特開平８−７９３５６号公報）には、利用者が操作ボタンを操作したとき、その操作ボタンに対応する音声を出力させることにより、操作された操作ボタンが適切なものであるか否かを利用者が確認することのできる電話ダイヤル音声装置が開示されている。
【先行技術文献】
【特許文献】
【０００６】
【特許文献１】特開平８−７９３５６号公報（段落［００２０］）
【発明の概要】
【発明が解決しようとする課題】
【０００７】
しかしながら、特許文献１に開示された先行技術は、利用者が電話ダイヤルを操作する際に、正しいダイヤル番号が選択されたか否かを音声で確認できるだけであり、誤ったダイヤル番号が選択されたことを確認できたとしても、電話機をそのままの状態にしておくと、誤った相手に繋がってしまう。このような事態を回避するためには、ダイヤル番号を誤って選択したことを確認した時点で、利用者が直ちに電話機を切断する操作が必要である。
【０００８】
また、特許文献１に開示された先行技術を、上述したカーナビゲーション装置等の多機能処理装置に適用した場合、操作ボタンを操作して機能を選択したとき、利用者は、その機能の説明を音声によって確認することができる。しかしながら、機能を確認できるだけであるため、選択された機能が所望の機能でない場合であっても、その機能がそのまま実行されてしまう。
【０００９】
本発明は、上記の問題点を解消することを課題とするものであり、設定されているモードに対して適切な機能を間違えることなく選択させて実行することのできる多機能処理装置を提供することを目的とするものである。
【課題を解決するための手段】
【００１０】
前記課題を解決するために、本願の請求項１にかかる発明は、
複数の機能から所望の機能を選択して処理する多機能処理装置において、異なる機能が割り当てられ、所望の機能を選択するために操作される複数の操作手段と、操作された前記操作手段の機能が、設定されているモードに対して適切であるか否かを判定する判定手段（例えば、制御手段１３）と、前記判定手段により不適切と判定されたとき、操作された前記操作手段に割り当てられた機能の説明情報を出力する出力手段と、を備えることを特徴とする。
【００１１】
本願の請求項２にかかる発明は、請求項１記載の多機能処理装置において、前記判定手段により適切と判定されたとき、操作された前記操作手段に割り当てられた機能を実行する機能実行手段（例えば、経路探索手段２０、動画再生手段２１、楽曲再生手段２２等）を、更に備えることを特徴とする。
【００１２】
本願の請求項３にかかる発明は、請求項２記載の多機能処理装置において、前記機能実行手段は、前記判定手段により不適切と判定され、且つ、再度同じ前記操作手段が操作されたとき、再度操作された前記操作手段に割り当てられた機能を実行することを特徴とする。
【００１３】
本願の請求項４にかかる発明は、請求項２又は３記載の多機能処理装置において、前記操作手段が操作されてから同じ前記操作手段が再度操作されるまでの時間を計測する計時手段を備え、前記機能実行手段は、前記時間が所定時間以内のとき、再度操作された前記操作手段に割り当てられた機能を実行することを特徴とする。
【００１４】
本願の請求項５にかかる発明は、請求項４記載の多機能処理装置において、前記出力手段は、前記所定時間が経過した後、同じ前記操作手段が再度操作されたとき、再度操作された前記操作手段に割り当てられた機能の確認情報を出力することを特徴とする。
【００１５】
本願の請求項６にかかる発明は、請求項１〜５のいずれか１項に記載の多機能処理装置において、前記操作手段は、前記機能実行手段を選択するための機能選択信号を出力するリモートコントローラを構成することを特徴とする。
【発明の効果】
【００１６】
請求項１にかかる発明においては、複数の機能から所望の機能を選択して処理する多機能処理装置において、異なる機能が割り当てられ、所望の機能を選択するために操作される複数の操作手段と、操作された前記操作手段の機能が、設定されているモードに対して適切であるか否かを判定する判定手段と、前記判定手段により不適切と判定されたとき、操作された前記操作手段に割り当てられた機能の説明情報を出力する出力手段と、を備える。
【００１７】
かかる構成によれば、利用者によって操作された操作手段に割り当てられた機能が、設定されているモードに対して不適切と判定されたとき、その機能の実行に先立ち、当該操作手段に割り当てられた機能の説明情報が出力されるため、利用者は、選択された機能が所望の機能であるか否かを、機能が実行される前に確認することができる。
【００１８】
請求項２にかかる発明においては、請求項１記載の多機能処理装置において、前記判定手段により適切と判定されたとき、操作された前記操作手段に割り当てられた機能を実行する機能実行手段（例えば、経路探索手段２０、動画再生手段２１、楽曲再生手段２２等）を、更に備える。かかる構成によれば、不適切な機能が実行されてしまう事態を回避することができる。
【００１９】
本願の請求項３にかかる発明においては、請求項２記載の多機能処理装置において、前記機能実行手段は、前記判定手段により不適切と判定され、且つ、再度同じ前記操作手段が操作されたとき、再度操作された前記操作手段に割り当てられた機能を実行する。かかる構成によれば、操作が不適切と判定された場合であっても、利用者が再度同じ操作手段を操作したときには、利用者の意図に従った所望の機能を実行させることができる。
【００２０】
請求項４にかかる発明においては、請求項２又は３にかかる発明において、前記操作手段が操作されてから同じ前記操作手段が再度操作されるまでの時間を計測する計時手段を備え、前記機能実行手段は、前記時間が所定時間以内のとき、再度操作された前記操作手段に割り当てられた機能を実行する。かかる構成によれば、出力された機能の説明情報に基づいて利用者が選択した所望の機能を速やかに実行することができる。
【００２１】
請求項５にかかる発明においては、請求項４にかかる発明において、前記出力手段は、前記所定時間が経過した後、同じ前記操作手段が再度操作されたとき、再度操作された前記操作手段に割り当てられた機能の確認情報を出力する。かかる構成によれば、選択された機能について、利用者に再考させることができる。
【００２２】
請求項６にかかる発明においては、請求項１〜５のいずれか１項にかかる発明において、前記操作手段は、前記機能実行手段を選択するための機能選択信号を出力するリモートコントローラとすることができる。
【図面の簡単な説明】
【００２３】
【図１】本発明の実施例にかかるナビゲーション装置及びそれを操作するリモートコントローラの要部構成を示すブロック図である。
【図２】本発明の実施例にかかるナビゲーション装置及びリモートコントローラにおける処理フローチャートである。
【発明を実施するための形態】
【００２４】
以下、本発明の具体例を実施例及び図面を用いて詳細に説明する。但し、以下に示す実施形態は、本発明の技術的思想を具体化するための多機能処理装置を例示するものであって、本発明をこの多機能処理装置に特定することを意図するものではなく、特許請求の範囲に含まれるその他の実施形態の多機能処理装置にも等しく適応し得るものである。
【実施例】
【００２５】
図１は、本発明の実施例にかかる多機能処理装置であるナビゲーション装置１０及びそれを操作するリモートコントローラ１１の要部構成を示すブロック図である。ナビゲーション装置１０は、リモートコントローラ１１を用いて赤外線通信によりリモート操作される。
【００２６】
ナビゲーション装置１０は、以下に説明する実施例では、車両に搭載されて、利用者に目的地までの経路案内を行う機能を有するとともに、動画再生及び楽曲再生の機能を併せ持っているものとする。なお、ナビゲーション装置１０は、ユーザが所持する携帯電話やＰＤＡ等の携帯端末とし、徒歩や電車、バス等の交通機関を利用して移動する際における経路案内や目的地の関連情報を提供するとともに、動画、楽曲、テレビ等を視聴できるものであってもよい。
【００２７】
ナビゲーション装置１０は、制御手段１３（判定手段）を備える。制御手段１３は、ＣＰＵ１４、ＲＯＭ１５、ＲＡＭ１６からなるプロセッサで構成され、ＲＯＭ１５、ＲＡＭ１６に記録された制御プログラムに従ってナビゲーション装置１０の各部の動作を制御する。
【００２８】
現在位置検出手段１７は、地球上空を周回している複数のＧＰＳ衛星から時刻情報及び位置情報を含む電波を受信するＧＰＳ受信機等で構成される。３個以上のＧＰＳ衛星からの電波を受信して処理することにより、車両の現在位置を算出することができる。また、現在位置検出手段１７は、距離センサ、方位センサ、舵角センサ等からなる自立航法装置を用いることもできる。
【００２９】
計時手段１９は、リモートコントローラ１１の後述する複数の操作ボタン３３の１つが操作されてから、同じ操作ボタン３３が再度操作されるまでの時間を計測する。
【００３０】
経路探索手段２０は、利用者が後述する入力手段２５又は操作ボタン３３を用いて目的地を入力することにより、後述する情報記憶手段２３に記憶された地図情報を参照し、現在位置又は利用者によって指定された出発地から目的地に至る最適な案内経路を探索するものであり、機能実行手段の１つである。なお、経路探索手段２０は、外部の図示しない情報配信サーバから、最新の地図情報をネットワークを経由して取得するように構成してもよい。
【００３１】
案内経路の探索は、現在位置又は出発地に対応する道路ノードから目的地に対応する道路ノードに至るリンクとノードをダイクストラ法等の各種の手法によって探索し、リンク長（リンクコスト）や所要時間等を累積し、総リンク長（走行距離）又は総所要時間等が最短となる経路を案内経路とし、当該経路に属する道路ノードやリンクを案内経路データとして提供するものである。
【００３２】
動画再生手段２１は、ＤＶＤ、ＲＡＭ１６、図示しないハードディスク、情報記憶手段２３等に記憶された動画を再生する機能実行手段の１つである。
【００３３】
楽曲再生手段２２は、ＣＤ、ＲＡＭ１６、図示しないハードディスク、情報記憶手段２３等に記憶された楽曲を再生する機能実行手段の１つである。
【００３４】
モード検出手段１８は、ナビゲーション装置１０に設定されているモードを検出する。この場合、モードとは、経路探索手段２０による経路探索モード、動画再生手段２１による動画再生モード、及び、楽曲再生手段２２による楽曲再生モードであり、また、各モードにおける設定状態、例えば、経路探索モードにおける目的地設定モード、動画再生手段２１及び楽曲再生手段２２における再生モード、ミュートモード、早送りモード、巻き戻しモード等の設定機能である。
【００３５】
情報記憶手段２３は、経路探索のための地図情報、施設情報、交通機関の時刻情報及び乗り換え情報等を記憶するとともに、必要に応じて、動画再生手段２１によって再生される動画情報、楽曲再生手段２２によって再生される楽曲情報等を記憶する。地図情報としては、道路の分岐地点等の結節点をノードとする道路ノードデータ、それぞれのノード間を結ぶ経路をリンクとした道路リンクデータ、地形図データが含まれる。また、情報記憶手段２３は、利用者によって選択されたナビゲーション装置１０の機能の説明や、機能の実行を確認するためのテキストデータ、音声データ、又は、画像データを記憶する。
【００３６】
道路ノードデータには、道路ノード番号、位置座標、接続リンク本数、分岐地点名称等が含まれる他、分岐地点から所定距離だけ離れた案内地点において、右左折、直進等の経路案内を行う経路案内データ及び案内地点の位置座標が記憶されている。
【００３７】
道路リンクデータには、始点及び終点となる道路ノード番号、道路種別、ノード間の距離情報であるリンク長（リンクコスト）、所要時間、車線数、車道幅などが含まれる。道路リンクデータには、さらに、リンク属性として橋、トンネル、踏切、料金所等のデータが付与される。道路種別とは、高速道路や有料道路の別、国道や都道府県道等の別を含む情報である。
【００３８】
地形図データには、海岸線、湖沼、河川形状などの水系データ、行政境界データ、駐車場をはじめとする施設位置、施設形状、施設名称を含む施設データからなる背景データが含まれる。
【００３９】
赤外線信号受信手段２４は、リモートコントローラ１１の後述する赤外線信号発信手段３２から送信される機能選択信号を受信する。
【００４０】
入力手段２５は、ナビゲーション装置１０における操作入力や、出発地、目的地、情報を検索するための検索条件等を設定する各種キー、タッチパネル等から構成される。入力手段２５は、リモートコントローラ１１の後述する操作ボタン３３と同等の機能を有し、ナビゲーション装置１０に対して各種情報を直接入力することが可能である。この場合、入力手段２５は、操作手段として機能する。
【００４１】
機能報知処理手段２６は、利用者が入力手段２５やリモートコントローラ１１の操作ボタン３３を操作した際に、選択されたナビゲーション装置１０の機能にかかる説明情報や、機能の実行の確認情報等を出力手段２７を用いて報知するための処理を行う。
【００４２】
出力手段２７は、地図画像、案内経路、施設の写真やテキストからなる施設情報等を表示し、又は、これらの情報及び警告を含む音声情報を出力するものであり、液晶ディスプレイ、スピーカ等で構成される。また、出力手段２７は、機能報知処理手段２６による処理結果である機能の説明情報や機能を実行する際の確認情報を表示し、又は、これらを音声として出力する。
【００４３】
リモートコントローラ１１は、制御手段２８を備える。制御手段２８は、ＣＰＵ２９、ＲＯＭ３０、ＲＡＭ３１からなるプロセッサで構成され、ＲＯＭ３０、ＲＡＭ３１に記録された制御プログラムに従ってリモートコントローラ１１の各部の動作を制御する。
【００４４】
赤外線信号発信手段３２は、ナビゲーション装置１０の赤外線信号受信手段２４に対して、複数の操作ボタン３３の１つを操作することで生成された機能選択信号を発信する。
【００４５】
操作ボタン３３は、ナビゲーション装置１０が備える異なる複数の機能の１つを選択するための複数の操作手段であり、各操作ボタン３３に対して所望の機能が割り当てられる。
【００４６】
ボタン識別手段３４は、利用者によってどの操作ボタン３３が操作されたのかを識別するものであり、操作ボタン３３毎の機能選択信号を生成する。
【００４７】
信号発信処理手段３５は、ボタン識別手段３４によって生成された機能選択信号を、赤外線信号発信手段３２を介してナビゲーション装置１０に発信する処理を行う。
【００４８】
本実施例にかかるナビゲーション装置１０においては、ナビゲーション装置１０に対して設定されているモードに基づいて、リモートコントローラ１１で操作された操作ボタン３３が当該モードにおいて操作される事が適切であるか否かを、制御手段１３により判定する。操作が不適切と判定されたときは、操作された操作ボタン３３に割り当てられた機能の説明情報を出力し、適切と判定されたときは、操作された操作ボタン３３に割り当てられた機能を実行する。また、本実施例にかかるナビゲーション装置１０においては、制御手段１３により不適切と判定され、且つ、再度同じ操作ボタン３３が操作されたときに、再度操作された操作ボタン３３に割り当てられた機能を実行する。
【００４９】
従って、利用者によって操作された操作手段に割り当てられた機能が、設定されているモードに対して不適切と判定されたとき、その機能の実行に先立ち、当該操作手段に割り当てられた機能の説明情報が出力されるため、利用者は、選択された機能が所望の機能であるか否かを、機能が実行される前に確認することができる。従って、不適切な機能が実行されてしまう事態を回避することができる。また、不適切と判定された場合であっても、利用者が再度同じ操作手段を操作したときには、利用者の意図に従った所望の機能を実行させることができる。
【００５０】
次に、図２に示す処理フローチャートに基づき、本実施例のナビゲーション装置１０の動作を説明する。なお、ナビゲーション装置１０は、車両に搭載されており、リモートコントローラ１１は、当該車両内でナビゲーション装置１０を操作するものとして説明する。
【００５１】
利用者がリモートコントローラ１１の操作ボタン３３の１つを選択して操作すると（ステップＳ１０１、ＹＥＳ）、ボタン識別手段３４は、操作された操作ボタン３３を識別し、その操作ボタン３３に割り振られている機能に対応した機能選択信号を生成する。生成された機能選択信号は、信号発信処理手段３５により処理され、赤外線信号発信手段３２を介してナビゲーション装置１０の赤外線信号受信手段２４に発信される。
【００５２】
リモートコントローラ１１から赤外線信号受信手段２４を介して機能選択信号を受信したナビゲーション装置１０は、モード検出手段１８において、ナビゲーション装置１０に既に設定されているモードを検出するとともに、計時手段１９は、操作ボタン３３が操作され、ステップＳ１０５で再度同じ操作ボタン３３が操作されるまでの時間の計測を開始する。（ステップＳ１０２）。例えば、モード検出手段１８は、経路探索手段２０による経路探索モード、動画再生手段２１による動画再生モード、楽曲再生手段２２による楽曲再生モードのいずれのモードが設定されているのかを検出する。また、例えば、経路探索モードにおける目的地設定モード、動画再生手段２１及び楽曲再生手段２２における再生モード、ミュートモード、早送りモード、巻き戻しモード等のいずれのモードが設定されているのかを検出してもよい。
【００５３】
次いで、制御手段１３は、利用者により操作された操作ボタン３３の機能が、ステップＳ１０２で検出したモードに対して適切な機能であるか否かを判定する（ステップＳ１０３）。
【００５４】
例えば、検出されたモードが経路探索手段２０による経路探索モードの目的地設定モードであり、所定の操作ボタン３３を操作して利用者が目的地を決定すべきところ、誤って、楽曲を再生、あるいは、巻き戻すための操作ボタン３３が操作された場合、制御手段１３は、不適切な機能の操作ボタン３３が操作されたものと判定する。また、検出されたモードが楽曲再生手段２２による楽曲再生モードであり、楽曲の再生中に、誤って、動画再生手段２１による動画停止の操作ボタン３３が操作された場合、制御手段１３は、不適切な機能の操作ボタン３３が操作されたものと判定する。
【００５５】
その他、楽曲再生モードのミュート機能が選択されている状態において、再度ミュート機能の操作ボタン３３が操作された場合、早送り中に、再生及び巻き戻し以外の操作ボタン３３が操作された場合、巻き戻し中に、再生及び早送り以外の操作ボタン３３が操作された場合、再生中に、再度再生の操作ボタン３３が操作された場合等、検出されたモードから推測して、利用者が選択する可能性の少ない操作ボタン３３が操作された場合、モード判定手段１８は、不適切な機能の操作ボタン３３が操作されたものと判定する。
【００５６】
なお、判定は、例えば、モード検出手段１８により検出されたモードと、操作ボタン３３との対応関係を規定したテーブルを情報記憶手段２３に記憶させておき、このテーブルを引用して判定を行うようにすることができる。
【００５７】
不適切な操作ボタン３３が操作されたと判定されたとき（ステップＳ１０３、ＮＯ）、制御手段１３は、機能報知処理手段２６を制御して、利用者が操作した操作ボタン３３の機能の報知処理を行う（ステップＳ１０４）。すなわち、機能報知処理手段２６は、利用者が操作した操作ボタン３３に対応する機能選択信号に基づき、選択された当該機能を説明するためのテキストデータ、音声データ、又は、画像データ等の説明情報を情報記憶手段２３から読み出し、出力手段２７を介して当該機能を説明する報知処理を行う。
【００５８】
例えば、利用者が操作した操作ボタン３３が楽曲再生手段２２の楽曲を再生する機能を選択するものである場合、「楽曲を再生しますか？」といった音声案内や、楽曲再生モードが選択されたことを示す画像表示を行うことができる。
【００５９】
利用者は、報知された機能の説明に基づき、操作した操作ボタン３３に割り当てられている機能が、自分の選択しようとした所望の機能であるか否かを判断することができる。この場合、例えば、経路探索モードが設定されており、操作ボタン３３を操作して利用者が目的地を決定すべきところ、誤って、楽曲を再生するための操作ボタン３３が操作された場合、利用者は、誤った機能の操作ボタン３３が選択されたことを知ることができる。
【００６０】
ステップＳ１０４において、誤った操作ボタン３３が操作された可能性を示唆する報知がなされたにも関わらず、利用者が再度同じ操作ボタン３３を操作した場合（ステップＳ１０５、ＹＥＳ）、計時手段１９で計測した時間（操作ボタン３３が操作されてから再度同じ操作ボタン３３が操作されるまでの時間）が所定時間以内であるとき（ステップＳ１０６、ＮＯ）、利用者が意識的に当該操作ボタン３３を操作したものと判断し、制御手段１３は、例えば、楽曲再生手段２２に対して楽曲を再生する機能の実行を指示させる。楽曲再生手段２２は、制御手段１３の指示に従って楽曲の再生を開始する（ステップＳ１０７）。
【００６１】
また、ステップＳ１０１で操作ボタン３３が操作され、ステップＳ１０５で再度同じ操作ボタン３３が操作されるまでの時間が所定時間を経過しているとき（ステップＳ１０６、ＹＥＳ）、制御手段１３は、機能報知処理手段２６を制御し、選択された機能を確認するためのテキストデータ、音声データ、又は、画像データ等の確認情報を情報記憶手段２３から読み出し、出力手段２７を介して機能確認の報知処理を行う（ステップＳ１０８）。
【００６２】
例えば、利用者が操作ボタン３３を操作してから所定時間経過後に再度操作ボタン３３が操作された場合、利用者による操作ボタン３３の操作ミスが生じている可能性があるため、「押し間違えですか？」といった音声等による確認を行うことができる。この確認情報の出力により、利用者は、操作を継続するか、異なる操作を行うかを再考することができる。
【００６３】
また、利用者が操作ボタン３３を再度操作しない場合であって（ステップＳ１０５、ＮＯ）、ナビゲーション装置１０の電源がＯＦＦにされていれば、当然全ての処理が終了する（ステップＳ１０９、ＹＥＳ）。また、ナビゲーション装置１０の電源がＯＮであるときには、ステップＳ１０１からの処理が繰り返される（ステップＳ１０９、ＮＯ）。
【００６４】
一方、利用者により操作された操作ボタン３３の機能が、ステップＳ１０２で検出したモードに対する適切な機能であると判定された場合（ステップＳ１０３、ＹＥＳ）、利用者が操作した操作ボタン３３の機能に関する説明情報を出力手段２７から出力することなく、その機能を直ちに実行する（ステップＳ１０７）。
【００６５】
以上、詳細に説明したように、本実施例のナビゲーション装置１０及びリモートコントローラ１１によれば、リモートコントローラ１１を操作して所望の機能を実行させる際、利用者が操作した操作ボタン３３に割り当てられている機能にかかる説明情報が出力されるため、その説明に基づいて、適切な機能が選択されたか否かを判断することができる。また、当該説明を確認した後、再度操作ボタン３３が操作されるまでは、選択された機能が実行されることがないため、利用者は、所望の機能のみを確実に実行させることができる。
【００６６】
なお、本発明は、上述した実施例に限定されるものではなく、本発明の要旨を逸脱しない範囲で変更することが可能である。
【００６７】
例えば、本発明の多機能処理装置は、車両に搭載されたナビゲーション装置１０に限られるものではなく、例えば、携帯電話やＰＤＡ等の携帯端末にも同様にして適用することができる。
【符号の説明】
【００６８】
１０・・・ナビゲーション装置
１１・・・リモートコントローラ
１３、２８・・・制御手段
１４、２９・・・ＣＰＵ
１７・・・現在位置検出手段
１８・・・モード検出手段
１９・・・計時手段
２０・・・経路探索手段
２１・・・動画再生手段
２２・・・楽曲再生手段
２３・・・情報記憶手段
２４・・・赤外線信号受信手段
２５・・・入力手段
２６・・・機能報知処理手段
２７・・・出力手段
３２・・・赤外線信号発信手段
３３・・・操作ボタン
３４・・・ボタン識別手段
３５・・・信号発信処理手段
【図１】
2011164054.tif 000003
【図２】
2011164054.tif 000004